(57)【要約】【課題】高輝度の映像を表示することができる液晶表示装置を提供する。【解決手段】本発明の液晶表示装置は、互いに異なる色相のカラーフィルタ部を用いてそれぞれ形成された３つのサブ画素をそれぞれ有する複数の画素がマトリクス状に配設された表示面に映像を表示する液晶表示装置であって、前記表示面は、垂直方向及び水平方向のうち少なくとも一方に隣接する２又は３の前記画素を含むように規定された複数の画素組を含み、前記画素組内において、前記色相に対応して前記カラーフィルタ部に１つずつ開口部が形成されていることを特徴とする。【選択図】図７
2013140209.tif 000002
【特許請求の範囲】
【請求項１】
互いに異なる色相のカラーフィルタ部を用いてそれぞれ形成された３つのサブ画素をそれぞれ有する複数の画素がマトリクス状に配設された表示面に映像を表示する液晶表示装置であって、
前記表示面は、垂直方向及び水平方向のうち少なくとも一方に隣接する２又は３の前記画素を含むように規定された複数の画素組を有し、
前記画素組内において、前記色相に対応して前記カラーフィルタ部に１つずつ開口部が形成されていることを特徴とする液晶表示装置。
【請求項２】
前記画素組は、２つの画素を含むように規定され、
前記画素組内の前記２つの画素は、
第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む第１画素と、
前記第２色相の前記第２カラーフィルタ部に第２開口部が形成された第２開口フィルタ部を含む第２開口サブ画素と、前記第１色相の前記第１カラーフィルタ部を有する第２閉口サブ画素と、前記第３色相の前記第３カラーフィルタ部に第３開口部が形成された第３開口サブ画素と、を含む第２画素であることを特徴とする請求項１に記載の液晶表示装置。
【請求項３】
前記映像を表示するための映像信号が入力される入力部を更に備え、
前記映像信号が、前記第１画素及び前記第２画素に対して等しい輝度を規定するならば、前記第１画素及び前記第２画素が等しい輝度で発光するように、前記第１開口部、前記第２開口部及び前記第３開口部の大きさが定められることを特徴とする請求項２に記載の液晶表示装置。
【請求項４】
前記第１画素の前記第１開口サブ画素は、前記第１閉口サブ画素と前記第３閉口サブ画素との間に配置され、
前記第２画素の前記第２閉口サブ画素は、前記第２開口サブ画素と前記第３開口サブ画素との間に配置されていることを特徴とする請求項３に記載の液晶表示装置。
【請求項５】
前記第１画素及び前記第２画素は、前記表示面上で千鳥状のパターンを描くように配置されることを特徴とする請求項２乃至４のいずれか１項に記載の液晶表示装置。
【請求項６】
前記第１画素及び前記第２画素は、水平方向に交互に配置されることを特徴とする請求項２乃至４のいずれか１項に記載の液晶表示装置。
【請求項７】
前記第１画素及び前記第２画素は、垂直方向に交互に配置されることを特徴とする請求項２乃至４のいずれか１項に記載の液晶表示装置。
【請求項８】
前記第１色相、前記第２色相及び前記第３色相は、赤、緑及び青からなる群からそれぞれ選択され、
前記映像信号は、前記赤、前記緑及び前記青の色相を用いて、前記第１画素及び前記第２画素の発光色及び輝度をそれぞれ規定することを特徴とする請求項３に記載の液晶表示装置。
【請求項９】
前記第１画素と前記第２画素とを含む画素領域内で、前記映像信号が前記第１画素及び前記第２画素に対して割り当てた前記発光色を平均化し、平均化色信号を出力する平均化部と、
前記平均化色信号に基づき、前記第１閉口サブ画素、前記第２閉口サブ画素、前記第３閉口サブ画素、前記第１開口サブ画素、前記第２開口サブ画素及び前記第３開口サブ画素から出射される光の輝度をそれぞれ決定する輝度決定部と、を更に備えることを特徴とする請求項２に記載の液晶表示装置。
【請求項１０】
前記第１開口サブ画素、前記第２開口サブ画素及び前記第３開口サブ画素からの光の出射の有無を選択的に決定するための出射選択部を更に備え、
前記輝度決定部は、前記平均化色信号及び前記出射選択部の決定に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を決定することを特徴とする請求項９に記載の液晶表示装置。
【請求項１１】
前記画素組は、３つの画素を含むように規定され、
前記画素組内の前記３つの画素は、
第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む第３画素と、
前記第２色相の前記第２カラーフィルタ部に第２開口部が形成された第２開口フィルタ部を含む第２開口サブ画素と、前記第１色相の前記第１カラーフィルタ部を有する第２閉口サブ画素と、前記第３色相の前記第３カラーフィルタ部を有する第３閉口サブ画素と、を含む第４画素と、
前記第３色相の前記第３カラーフィルタ部に第３開口部が形成された第３開口サブ画素と、前記第１色相の前記第１カラーフィルタ部を有する第２閉口サブ画素と前記第２色相の前記第２カラーフィルタ部を有する第１閉口サブ画素と、を含む第５画素であることを特徴とする請求項１に記載の液晶表示装置。
【請求項１２】
前記映像を表示するための映像信号が入力される入力部を更に備え、
前記映像信号が、前記第３画素、前記第４画素及び前記第５画素に対して等しい輝度を規定するならば、前記第３画素、前記第４画素及び前記第５画素が等しい輝度で発光するように、前記第１開口部、前記第２開口部及び前記第３開口部の大きさが定められることを特徴とする請求項１０に記載の液晶表示装置。
【請求項１３】
前記第１色相、前記第２色相及び前記第３色相は、赤、緑及び青からなる群からそれぞれ選択され、
前記映像信号は、前記赤、前記緑及び前記青の色相を用いて、前記第３画素、前記第４画素及び前記第５画素の発光色及び輝度をそれぞれ規定することを特徴とする請求項１２に記載の液晶表示装置。
【請求項１４】
前記第３画素、前記第４画素及び前記第５画素を含む画素領域内で、前記映像信号が前記第３画素、前記第４画素及び前記第５画素に対して割り当てた前記発光色を平均化し、平均化色信号を出力する平均化部と、
前記平均化色信号に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を、前記第３画素、前記第４画素及び前記第５画素それぞれに対して決定する輝度決定部と、を更に備えることを特徴とする請求項１３に記載の液晶表示装置。
【請求項１５】
前記第１開口サブ画素、前記第２開口サブ画素及び前記第３開口サブ画素からの光の出射の有無を選択的に決定するための出射選択部を更に備え、
前記輝度決定部は、前記平均化色信号及び前記出射選択部の決定に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を、前記第３画素、前記第４画素及び前記第５画素それぞれに対して決定することを特徴とする請求項１４に記載の液晶表示装置。
【請求項１６】
前記液晶表示装置は透過型であることを特徴とする請求項１乃至１５のいずれか１項に記載の液晶表示装置。
【発明の詳細な説明】
【技術分野】
【０００１】
本発明は、液晶を用いて映像を表示する表示装置に関する。
【背景技術】
【０００２】
液晶を駆動し、映像を表示する技術は、表示装置に広く用いられている。液晶表示装置は、一般的に、複数の画素によって形成された表示面と、表示面に向けて光を照射するバックライト装置と、を備える。画素は、典型的には、赤の色相に対応するカラーフィルタを有する赤色サブ画素と、緑の色相に対応するカラーフィルタを有する緑色サブ画素と、青の色相に対応するカラーフィルタを有する青色サブ画素と、を含む。バックライト装置からの光は、これらのカラーフィルタを通過し、赤、緑及び青の光として表示面から出射される。この結果、表示面には映像が表示される。
【０００３】
特許文献１は、映像の輝度を向上させるための技術を開示する。特許文献１によれば、表示面が、上述のサブ画素に加えて、透明層を有するサブ画素を有する画素を用いて形成される。透明層を有するサブ画素は、白色発光する白色サブ画素として機能し、表示面に現れる映像を明るくする。しかしながら、特許文献１の開示技術は、透明層を形成するための追加的な工程を必要とするという課題を有する。
【０００４】
特許文献２は、透明層に代えて、赤、緑及び青のカラーフィルタのうち１つに貫通穴を形成することを提案する。特許文献２に技術によれば、特許文献１の開示技術よりも簡便に白色サブ画素を形成することができる。
【先行技術文献】
【特許文献】
【０００５】
【特許文献１】特開平１１−２９５７１７号公報
【特許文献２】特開２０１１−１０００２５号公報
【発明の概要】
【発明が解決しようとする課題】
【０００６】
４つのサブ画素を用いて輝度を向上させる上述の手法は、様々な課題を内包する。例えば、上述の手法の結果、一般的なＲＧＢ方式と比べて、ソースドライバのピン、ソース線やＴＦＴの数が増大する。このことは、液晶表示装置の製造コストを増大させる。
【０００７】
サブ画素の増大は、サブ画素の小型化を意味する。例えば、一般的なＲＧＢ方式に従うサブ画素の大きさと比べて、上述の技術は「３／４」倍の大きさのサブ画素を用いる必要がある。
【０００８】
赤色サブ画素、緑色サブ画素及び青色サブ画素が発光したときの輝度が「１」の値で表され、白色発光する白色サブ画素の輝度も「１」の値で表されるならば、上述の手法は、理論的には、一般的なＲＧＢ方式と比べて、「１．５」倍の輝度（「１」（ＲＧＢ発光）×「３／４」＋「１」（Ｗ発光）×「３／４」＝１．５）を達成する。
【０００９】
しかしながら、サブ画素の小型化並びにソース線やＴＦＴの数の増大は、サブ画素の開口率（サブ画素の光透過面積）の低減に帰結する。開口率の低減の結果、上述の理論的な輝度の増大は達成されない。
【００１０】
カラーフィルタに開口部を形成する手法は、画質の低下をもたらすこともある。例えば、カラーフィルタに形成された開口部は、液晶の応答速度や輝度の低下をもたらすこともある。
【００１１】
カラーフィルタに形成される開口部の大きさは、透過率及び色再現性の観点から適切に調整される必要がある。色再現性が重視されるならば、小さな開口部がカラーフィルタに形成されることが好ましい。この場合、開口部以外のカラーフィルタ部分が色シフトを引き起こすので、バックライトの色温度の最適な調整や画素サイズの調整が更に必要とされる。例えば、青色のカラーフィルタに開口部が形成されるならば、青色のカラーフィルタの残存部分の影響の緩和の為に、大きな赤色サブ画素及び緑色サブ画素が必要とされる。加えて、青色サブ画素は小さく形成される必要がある。したがって、カラーフィルタへの開口部の形成は、非常に煩雑な画素設計を要求する。
【００１２】
本発明は、高輝度の映像を簡便に表示することができる液晶表示装置を提供することを目的とする。
【課題を解決するための手段】
【００１３】
本発明の一の局面に係る液晶表示装置は、互いに異なる色相のカラーフィルタ部を用いてそれぞれ形成された３つのサブ画素をそれぞれ有する複数の画素がマトリクス状に配設された表示面に映像を表示する。前記表示面は、垂直方向及び水平方向のうち少なくとも一方に隣接する２又は３の前記画素を含むように規定された複数の画素組を有し、前記画素組内において、前記色相に対応して前記カラーフィルタ部に１つずつ開口部が形成されていることを特徴とする。
【００１４】
上記構成によれば、液晶表示装置は、互いに異なる色相のカラーフィルタ部を用いてそれぞれ形成された３つのサブ画素をそれぞれ有する複数の画素がマトリクス状に配設された表示面に映像を表示する。表示面は、垂直方向及び水平方向のうち少なくとも一方に隣接する２又は３の画素を含むように規定された複数の画素組を有する。画素組内において、色相に対応してカラーフィルタ部に１つずつ開口部が形成されているので、液晶表示装置は、高輝度の映像を表示することができる。また、液晶表示装置は、煩雑な画素設計を要することなく、高輝度の映像を表示することができる。
【００１５】
上記構成において、前記画素組は、２つの画素を含むように規定され、前記画素組内の前記２つの画素は、第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む第１画素と、前記第２色相の前記第２カラーフィルタ部に第２開口部が形成された第２開口フィルタ部を含む第２開口サブ画素と、前記第１色相の前記第１カラーフィルタ部を有する第２閉口サブ画素と、前記第３色相の前記第３カラーフィルタ部に第３開口部が形成された第３開口サブ画素と、を含む第２画素であることが好ましい。
【００１６】
上記構成によれば、画素組は、２つの画素を含むように規定される。画素組内の２つの画素は、第１画素と第２画素である。第１画素は、第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む。第２画素は、第２色相の第２カラーフィルタ部に第２開口部が形成された第２開口フィルタ部を含む第２開口サブ画素と、第１色相の前記第１カラーフィルタ部を有する第２閉口サブ画素と、第３色相の第３カラーフィルタ部に第３開口部が形成された第３開口サブ画素と、を含む。したがって、液晶表示装置は、高輝度の映像を表示することができる。また、液晶表示装置は、煩雑な画素設計を要することなく、高輝度の映像を表示することができる。
【００１７】
上記構成において、液晶表示装置は、前記映像を表示するための映像信号が入力される入力部を更に備え、前記映像信号が、前記第１画素及び前記第２画素に対して等しい輝度を規定するならば、前記第１画素及び前記第２画素が等しい輝度で発光するように、前記第１開口部、前記第２開口部及び前記第３開口部の大きさが定められることが好ましい。
【００１８】
上記構成によれば、入力部に入力される映像信号が、第１画素及び第２画素に対して等しい輝度を規定するならば、第１画素及び第２画素が等しい輝度で発光するように、第１開口部、第２開口部及び第３開口部の大きさが定められるので、液晶表示装置は、均一な輝度の映像を表示することができる。
【００１９】
上記構成において、前記第１画素の前記第１開口サブ画素は、前記第１閉口サブ画素と前記第３閉口サブ画素との間に配置され、前記第２画素の前記第２閉口サブ画素は、前記第２開口サブ画素と前記第３開口サブ画素との間に配置されていることが好ましい。
【００２０】
上記構成によれば、第１画素の第１開口サブ画素は、第１閉口サブ画素と第３閉口サブ画素との間に配置される。第２画素の第２閉口サブ画素は、第２開口サブ画素と第３開口サブ画素との間に配置されている。画素組内で、開口サブ画素と閉口サブ画素が分散されるので、表示される映像に対する開口部の影響が緩和される。
【００２１】
上記構成において、前記第１画素及び前記第２画素は、前記表示面上で千鳥状のパターンを描くように配置されることが好ましい。
【００２２】
上記構成によれば、第１画素、第２画素及び第３画素は、表示面に亘って、一定の密度で配列されるので、液晶表示装置は、均一な輝度の映像を表示することができる。
【００２３】
上記構成において、前記第１画素及び前記第２画素は、水平方向に交互に配置されることが好ましい。
【００２４】
上記構成によれば、第１画素及び第２画素は、水平方向に交互に配置されるので、液晶表示装置は、水平方向に均一な輝度の映像を表示することができる。
【００２５】
上記構成において、前記第１画素及び前記第２画素は、垂直方向に交互に配置されることが好ましい。
【００２６】
上記構成によれば、第１画素及び第２画素は、水平方向に交互に配置されるので、液晶表示装置は、水平方向に均一な輝度の映像を表示することができる。
【００２７】
上記構成において、前記第１色相、前記第２色相及び前記第３色相は、赤、緑及び青からなる群からそれぞれ選択され、前記映像信号は、前記赤、前記緑及び前記青の色相を用いて、前記第１画素及び前記第２画素の発光色及び輝度をそれぞれ規定することが好ましい。
【００２８】
上記構成によれば、第１色相、第２色相及び第３色相は、赤、緑及び青からなる群からそれぞれ選択される。映像信号は、赤、緑及び青の色相を用いて、第１画素及び第２画素の発光色及び輝度をそれぞれ規定する。したがって、液晶表示装置は、サブ画素の小型化並びにソースドライバのピン、ソース線やＴＦＴの数の増大を要することなく、高輝度の映像を表示することができる。
【００２９】
上記構成において、液晶表示装置は、前記第１画素と前記第２画素とを含む画素領域内で、前記映像信号が前記第１画素及び前記第２画素に対して割り当てた前記発光色を平均化し、平均化色信号を出力する平均化部と、前記平均化色信号に基づき、前記第１閉口サブ画素、前記第２閉口サブ画素、前記第３閉口サブ画素、前記第１開口サブ画素、前記第２開口サブ画素及び前記第３開口サブ画素から出射される光の輝度をそれぞれ決定する輝度決定部と、を更に備えることが好ましい。
【００３０】
上記構成によれば、平均化部は、第１画素及び第２画素を含む画素領域内で、映像信号が第１画素及び第２画素に対して割り当てた発光色を平均化し、平均化色信号を出力する。輝度決定部は、前記第１閉口サブ画素、第２閉口サブ画素、前記第３閉口サブ画素、前記第１開口サブ画素、前記第２開口サブ画素及び前記第３開口サブ画素から出射される光の輝度をそれぞれ決定する。したがって、液晶表示装置は、映像信号に基づき、映像を適切に表示することができる。
【００３１】
上記構成において、前記第１開口サブ画素、前記第２開口サブ画素及び前記第３開口サブ画素からの光の出射の有無を選択的に決定するための出射選択部を更に備え、前記輝度決定部は、前記平均化色信号及び前記出射選択部の決定に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を決定することが好ましい。
【００３２】
上記構成によれば、出射選択部は、第１開口サブ画素、第２開口サブ画素及び第３開口サブ画素からの光の出射の有無を選択的に決定する。輝度決定部は、平均化色信号及び出射選択部の決定に基づき、第１閉口サブ画素、第２閉口サブ画素、第３閉口サブ画素、第１開口サブ画素、第２開口サブ画素及び第３開口サブ画素それぞれを透過する光の輝度を決定する。したがって、液晶表示装置は、第１開口サブ画素、第２開口サブ画素及び第３開口サブ画素からの光の出射の有無の選択を許容する。出射選択部による決定に基づき、第１開口サブ画素、第２開口サブ画素及び第３開口サブ画素から光が出射されないならば、低い輝度であるが高い色再現性を有する映像が表示面に表示される。出射選択部による決定に基づき、第１開口サブ画素、第２開口サブ画素及び第３開口サブ画素から光が出射されるならば、低い色再現性であるが高い輝度の映像が表示面に表示される。
【００３３】
上記構成において、前記画素組は、３つの画素を含むように規定され、前記画素組内の前記３つの画素は、第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む第３画素と、前記第２色相の前記第２カラーフィルタ部に第２開口部が形成された第２開口フィルタ部を含む第２開口サブ画素と、前記第１色相の前記第１カラーフィルタ部を有する第２閉口サブ画素と、前記第３色相の前記第３カラーフィルタ部を有する第３閉口サブ画素と、を含む第４画素と、前記第３色相の前記第３カラーフィルタ部に第３開口部が形成された第３開口サブ画素と、前記第１色相の前記第１カラーフィルタ部を有する第２閉口サブ画素と前記第２色相の前記第２カラーフィルタ部を有する第１閉口サブ画素と、を含む第５画素であることが好ましい。
【００３４】
上記構成によれば、画素組は、３つの画素を含むように規定される。画素組内の２つの画素は、第４画素、第５画素及び第６画素である。第４画素は、第１色相の第１カラーフィルタ部に第１開口部が形成された第１開口フィルタ部を含む第１開口サブ画素と、第２色相の第２カラーフィルタ部を有する第１閉口サブ画素と、第３色相の第３カラーフィルタ部を有する第３閉口サブ画素と、を含む。第４画素は、第２色相の第２カラーフィルタ部に第２開口部が形成された第２開口フィルタ部を含む第２開口サブ画素と、第１色相の第１カラーフィルタ部を有する第２閉口サブ画素と、第３色相の前記第３カラーフィルタ部を有する第３閉口サブ画素と、を含む。第５画素は、第３色相の第３カラーフィルタ部に第３開口部が形成された第３開口サブ画素と、第１色相の第１カラーフィルタ部を有する第２閉口サブ画素と第２色相の第２カラーフィルタ部を有する第１閉口サブ画素と、を含む。したがって、液晶表示装置は、高輝度の映像を表示することができる。また、液晶表示装置は、煩雑な画素設計を要することなく、高輝度の映像を表示することができる。
【００３５】
上記構成において、前記映像を表示するための映像信号が入力される入力部を更に備え、前記映像信号が、前記第３画素、前記第４画素及び前記第５画素に対して等しい輝度を規定するならば、前記第３画素、前記第４画素及び前記第５画素が等しい輝度で発光するように、前記第１開口部、前記第２開口部及び前記第３開口部の大きさが定められることが好ましい。
【００３６】
上記構成によれば、入力部に入力される映像信号が、第３画素、第４画素及び第５画素に対して等しい輝度を規定するならば、第３画素、第４画素及び第５画素が等しい輝度で発光するように、第１開口部、第２開口部及び第３開口部の大きさが定められるので、液晶表示装置は、均一な輝度の映像を表示することができる。
【００３７】
上記構成において、前記第１色相、前記第２色相及び前記第３色相は、赤、緑及び青からなる群からそれぞれ選択され、前記映像信号は、前記赤、前記緑及び前記青の色相を用いて、前記第３画素、前記第４画素及び前記第５画素の発光色及び輝度をそれぞれ規定することが好ましい。
【００３８】
上記構成によれば、第１色相、第２色相及び第３色相は、赤、緑及び青からなる群からそれぞれ選択される。映像信号は、赤、緑及び青の色相を用いて、第３画素、第４画素及び第５画素の発光色及び輝度をそれぞれ規定する。したがって、液晶表示装置は、サブ画素の小型化並びにソースドライバのピン、ソース線やＴＦＴの数の増大を要することなく、高輝度の映像を表示することができる。
【００３９】
上記構成において、液晶表示装置は、前記第３画素、前記第４画素及び前記第５画素を含む画素領域内で、前記映像信号が前記第３画素、前記第４画素及び前記第５画素に対して割り当てた前記発光色を平均化し、平均化色信号を出力する平均化部と、前記平均化色信号に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を、前記第３画素、前記第４画素及び前記第５画素それぞれに対して決定する輝度決定部と、を更に備えることが好ましい。
【００４０】
上記構成によれば、平均化部は、第３画素、第４画素及び第５画素を含む画素領域内で、映像信号が第３画素、第４画素及び第５画素に対して割り当てた発光色を平均化し、平均化色信号を出力する。輝度決定部は、前記第１閉口サブ画素、第２閉口サブ画素、前記第３閉口サブ画素、前記第１開口サブ画素、前記第２開口サブ画素及び前記第３開口サブ画素から出射される光の輝度を、第３画素、第４画素及び第５画素それぞれに対して決定する。したがって、液晶表示装置は、映像信号に基づき、映像を適切に表示することができる。
【００４１】
上記構成において、前記第１開口サブ画素、前記第２開口サブ画素及び前記第３開口サブ画素からの光の出射の有無を選択的に決定するための出射選択部を更に備え、前記輝度決定部は、前記平均化色信号及び前記出射選択部の決定に基づき、前記第１閉口サブ画素、前記第２閉口サブ画素、前記第３閉口サブ画素、前記第１開口サブ画素、前記第２開口サブ画素及び前記第３開口サブ画素から出射される光の輝度を、前記第３画素、前記第４画素及び前記第５画素それぞれに対して決定することが好ましい。
【００４２】
上記構成によれば、出射選択部は、第１開口サブ画素、第２開口サブ画素及び第３開口サブ画素からの光の出射の有無を選択的に決定する。輝度決定部は、平均化色信号及び出射選択部の決定に基づき、第１閉口サブ画素、第２閉口サブ画素、第３閉口サブ画素、第１開口サブ画素、第２開口サブ画素及び第３開口サブ画素それぞれを透過する光の輝度を、第３画素、第４画素及び第５画素それぞれに対して決定する。したがって、液晶表示装置は、第１開口サブ画素、第２開口サブ画素及び第３開口サブ画素からの光の出射の有無の選択を許容する。出射選択部による決定に基づき、第１開口サブ画素、第２開口サブ画素及び第３開口サブ画素から光が出射されないならば、低い輝度であるが高い色再現性を有する映像が表示面に表示される。出射選択部による決定に基づき、第１開口サブ画素、第２開口サブ画素及び第３開口サブ画素から光が出射されるならば、低い色再現性であるが高い輝度の映像が表示面に表示される。
【００４３】
上記構成において、前記液晶表示装置は、透過型であることが好ましい。
【００４４】
上記構成によれば、液晶表示装置は、透過型であるので、カラーフィルタ部に形成された開口部を用いて、高い輝度の映像を表示することができる。
【発明の効果】
【００４５】
本発明に係る液晶表示装置は、高輝度の映像を簡便に表示することができる。
【図面の簡単な説明】
【００４６】
【図１】第１実施形態に係る液晶表示装置の概略的なブロック図である。
【図２】図１に示される液晶表示装置の概略的な斜視図である。
【図３Ａ】図１に示される液晶表示装置の第１画素の概略図である。
【図３Ｂ】図１に示される液晶表示装置の第２画素の概略図である。
【図４】図１に示される液晶表示装置の画素の第１配列パターンの概略図である。
【図５】図１に示される液晶表示装置の画素の第２配列パターンの概略図である。
【図６】図１に示される液晶表示装置の画素の第３配列パターンの概略図である。
【図７】図１に示される液晶表示装置の概略的なブロック図である。
【図８Ａ】図７に示される液晶表示装置の平均化部による平均化処理の概念図である。
【図８Ｂ】図７に示される液晶表示装置の平均化部による平均化処理の概念図である。
【図８Ｃ】図７に示される液晶表示装置の平均化部による平均化処理の概念図である。
【図９】図８Ａ乃至図８Ｃに示される平均化部が１つの画素領域に対して実行する平均化処理のフローチャートである。
【図１０】図１０に示されるフローチャートのステップＳ１４０乃至ステップＳ１７０における処理の概念図である。
【図１１】図７に示される液晶表示装置のＲＧＢ変換部が実行する処理の概念図である。
【図１２】図７に示される液晶表示装置の平均化部による画素領域に対する他の設定手法を表す概念図である。
【図１３】第２実施形態に係る液晶表示装置の概略的なブロック図である。
【図１４Ａ】図１３に示される液晶表示装置が第１発光モードに設定されたときの第１画素及び第２画素の概略図である。
【図１４Ｂ】図１３に示される液晶表示装置が第２発光モードに設定されたときの第１画素及び第２画素の概略図である。
【図１５】第３実施形態に係る液晶表示装置の概略的なブロック図である。
【図１６Ａ】図１５に示される液晶表示装置の第１画素の概略図である。
【図１６Ｂ】図１５に示される液晶表示装置の第２画素の概略図である。
【図１７】図１６Ａ及び図１６Ｂに示される第１画素及び第２画素の配列パターンの概略図である。
【図１８】第４実施形態に係る液晶表示装置の概略的なブロック図である。
【図１９】図１８に示される液晶表示装置の第１画素、第２画素及び第３画素の概略図である。
【図２０】図１９に示される液晶表示装置の第１画素、第２画素及び第３画素の配列パターンの概略図である。
【図２１Ａ】図１９に示される液晶表示装置の平均化部による平均化処理の概念図である。
【図２１Ｂ】図１９に示される液晶表示装置の平均化部による平均化処理の概念図である。
【図２１Ｃ】図１９に示される液晶表示装置の平均化部による平均化処理の概念図である。
【図２２】第５実施形態に係る液晶表示装置の概略的なブロック図である。
【図２３】図２２に示される液晶表示装置の画素として用いられる第１画素及び第２画素の概略図である。
【図２４】図２３に示される第１画素及び第２画素の配列パターンの概略図である。
【図２５】第６実施形態に係る液晶表示装置の概略的なブロック図である。
【図２６】図２５に示される液晶表示装置の画素として用いられる第１画素及び第２画素の概略図である。
【図２７】図２６に示される第１画素及び第２画素の配列パターンの概略図である。
【図２８Ａ】図２６に示される第１画素及び第２画素の他の配列パターンの概略図である。
【図２８Ｂ】図２６に示される第１画素及び第２画素の他の配列パターンの概略図である。
【発明を実施するための形態】
【００４７】
以下、様々な実施形態に係る液晶表示装置（以下、「表示装置と称される」）が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものである。したがって、本実施形態の原理は、これらに何ら限定されるものではない。
【００４８】
＜第１実施形態＞
（表示装置）
図１は、第１実施形態に係る表示装置１００の概略的なブロック図である。図２は、表示装置１００の概略的な斜視図である。図１及び図２を用いて、表示装置１００が説明される。
【００４９】
図１に示される如く、表示装置１００は、映像信号を処理する信号処理部１１０と、信号処理部１１０によって処理された映像信号にしたがって映像を映し出す表示面１２１を含む液晶パネル１２０と、表示面１２１に向けて白色の照明光を照射するバックライト装置１３０と、を備える。図２に示される如く、表示装置１００は、信号処理部１１０、液晶パネル１２０及びバックライト装置１３０を収容並びに保持する筐体１４０を更に備える。表示面１２１は、筐体１４０から露出する。
【００５０】
図１に示される如く、表示面１２１は、マトリクス状に配列された複数の画素２００を備える。画素２００は、信号処理部１１０によって処理された映像信号にしたがって駆動され、バックライト装置１３０からの照明光を変調する。この結果、映像信号に規定された映像は、表示面１２１上に表示される。
【００５１】
表示装置１００は、２種類の画素２００を用いて、映像を表示する。以下の説明において、２種類の画素２００のうち一方は、「第１画素」と称され、他方は、「第２画素」と称される。第１画素及び第２画素の組は、画素組として例示される。第１画素及び第２画素はともに、互いに異なる色相で発光する３つのサブ画素を含む。
【００５２】
（画素の配列パターン）
（第１配列パターン）
図３Ａは、第１画素２１０の概略図である。図３Ｂは、第２画素２２０の概略図である。図１、図３Ａ及び図３Ｂを用いて、画素２００の第１配列パターンが説明される。
【００５３】
表示装置１００は、バックライト装置１３０から出射された白色の照明光を赤の色相に変化させる赤色フィルタ部２３１と、照明光を緑の色相に変化させる緑色フィルタ部２３２と、照明光を青の色相に変化させる青色フィルタ部２３３と、を備える。互いに色相の異なるこれらのカラーフィルタ部（赤色フィルタ部２３１、緑色フィルタ部２３２、青色フィルタ部２３３）を用いて、３つのサブ画素がそれぞれ形成される。第１画素２１０及び第２画素２２０それぞれは、３つのサブ画素を含む。第１画素２１０及び第２画素２２０は、マトリクス状に配列され、表示面１２１を形成する。
【００５４】
第１画素２１０は、開口部２４２が形成された緑色フィルタ部２３２を有する緑色開口サブ画素（以下、「Ｇ開口サブ画素２６２」と称される）と、赤色フィルタ部２３１を有する赤色閉口サブ画素（以下、「Ｒ閉口サブ画素２５１」と称される）と、青色フィルタ部２３３を有する青色閉口サブ画素（以下、「Ｂ閉口サブ画素２５３」と称される）と、を備える。Ｇ開口サブ画素２６２と異なり、Ｒ閉口サブ画素２５１及びＢ閉口サブ画素２５３のカラーフィルタ部（赤色フィルタ部２３１及び青色フィルタ部２３３）には、開口部は形成されていない。したがって、Ｒ閉口サブ画素２５１及びＢ閉口サブ画素２５３が、赤色フィルタ部２３１及び青色フィルタ部２３３によってそれぞれ作り出される赤及び青の色相の光を出射するのに対し、Ｇ開口サブ画素２６２は、緑色フィルタ部２３２によって作り出される緑色光よりも彩度の低い光を出射する。
【００５５】
「第１配列パターン」において、緑色フィルタ部２３２は、第１カラーフィルタ部として例示される。緑の色相は、第１色相として例示される。緑色フィルタ部２３２に形成された開口部２４２は、第１開口部として例示される。Ｇ開口サブ画素２６２の緑色フィルタ部２３２は、第１開口フィルタ部として例示される。
【００５６】
「第１配列パターン」において、赤色フィルタ部２３１及び青色フィルタ部２３３のうち一方は、第２カラーフィルタ部として例示され、他方は、第３カラーフィルタ部として例示される。赤及び青の色相のうち一方は、第２色相として例示され、他方は、第３色相として例示される。Ｒ閉口サブ画素２５１及びＢ閉口サブ画素２５３のうち一方は、第１閉口サブ画素として例示され、他方は、第３閉口サブ画素として例示される。
【００５７】
第２画素２２０は、開口部２４１が形成された赤色フィルタ部２３１を有する赤色開口サブ画素（以下、「Ｒ開口サブ画素２６１」と称される）と、開口部２４３が形成された青色フィルタ部２３３を有する青色開口サブ画素（以下、「Ｂ開口サブ画素２６３」と称される）と、緑色フィルタ部２３２を有する緑色閉口サブ画素（以下、「Ｇ閉口サブ画素２５２」と称される）と、を備える。Ｒ開口サブ画素２６１及びＢ開口サブ画素２６３と異なり、Ｇ閉口サブ画素２５２の緑色フィルタ部２３２には、開口部は形成されていない。したがって、Ｇ閉口サブ画素２５２が、緑色フィルタ部２３２によって作り出される緑の色相の光を出射するのに対し、Ｒ開口サブ画素２６１及びＢ開口サブ画素２６３は、赤色フィルタ部２３１及び青色フィルタ部２３３によってそれぞれ作り出される赤色光及び青色光よりも彩度の低い光を出射する。
【００５８】
「第１配列パターン」において、赤色フィルタ部２３１に形成された開口部２４１及び青色フィルタ部２３３に形成された開口部２４３のうち一方は、第２開口部として例示され、他方は第３開口部として例示される。Ｒ開口サブ画素２６１及びＢ開口サブ画素２６３のうち一方は、第２開口サブ画素として例示され、他方は、第３開口サブ画素として例示される。Ｇ閉口サブ画素２５２は、第２閉口サブ画素として例示される。
【００５９】
後述される如く、本実施形態において、表示面１２１を形成する複数の画素組は、第１画素２１０と第２画素２２０とからなる。上述の如く、第１画素２１０と第２画素２２０からなる画素組内において、カラーフィルタ部（赤色フィルタ部２３１、緑色フィルタ部２３２、青色フィルタ部２３３）には、色相（赤、緑、青）に対応して１つずつ開口部（２４１、２４２又は２４３）が形成される。また、第１画素２１０のＧ開口サブ画素２６２は、Ｒ閉口サブ画素２５１とＢ閉口サブ画素２５３との間に配設される。第２画素２２０のＧ閉口サブ画素２５２は、Ｒ開口サブ画素２６１とＢ開口サブ画素２６３との間に配設される。したがって、開口部（２４１、２４２、２４３）が画素組内で分散される。かくして、開口部（２４１、２４２、２４３）が映像に与える影響は緩和される。
【００６０】
図４は、画素２００の第１配列パターンの概略図である。図１、図２及び図４を用いて、画素２００の第１配列パターンが説明される。
【００６１】
図２の表示装置１００の表示面１２１上には、点線で囲まれた微小領域ＭＲが示されている。図４は、微小領域ＭＲ内で配列された画素２００の配列パターンを概略的に示す。尚、図４に関連する説明は、表示面１２１全体に亘って適用される。
【００６２】
開口部２４１，２４２，２４３は、バックライト装置１３０が照射した白色の照明光を透過させるので、表示面１２１の輝度の向上に貢献する。しかしながら、開口部２４１，２４２，２４３は、映像信号に規定された色と画素２００の発光色との乖離を生じさせることもある。即ち、開口部２４１，２４２，２４３は、色再現性を低下させることもある。
【００６３】
本実施形態において、第１画素２１０と第２画素２２０との間での開口パターンは異なる。また、第１画素２１０及び第２画素２２０は、表示面１２１全体に亘って、略一定の密度で配列される。したがって、開口部２４１，２４２，２４３が、表示面１２１上の映像に局所的に強く影響を与えることはほとんどない。映像信号が、第１画素２１０及び第２画素２２０に対して等しい輝度での発光を指示しているならば、第１画素２１０及び第２画素２２０が略等しい輝度で発光するように、開口部２４１，２４２，２４３の大きさは設定される。この結果、第１画素２１０及び第２画素２２０は、高い色再現性を維持することができる。
【００６４】
「第１配列パターン」において、第１画素２１０及び第２画素２２０は、千鳥状のパターンを描くように配置される。即ち、第１画素２１０及び第２画素２２０は、水平方向及び垂直方向に交互に配置される。
【００６５】
「第１配列パターン」において、水平方向に隣接した第１画素２１０及び第２画素２２０が画素組として規定されてもよい。代替的に、垂直方向に隣接した第１画素２１０及び第２画素２２０が画素組として規定されてもよい。
【００６６】
（第２配列パターン）
図５は、画素２００の第２配列パターンの概略図である。図１、図４及び図５を用いて、画素２００の第２配列パターンが説明される。
【００６７】
第１配列パターンと同様に、第２配列パターンにしたがう第１画素２１０及び第２画素２２０は、垂直方向に交互に整列される。一方、第１配列パターンと異なり、表示面１２１上には、水平方向に整列した第１画素２１０からなるラインと、水平方向に整列した第２画素２２０からなるラインとが形成される。
【００６８】
第１配列パターンにおいて、第１画素２１０及び第２画素２２０は、垂直方向及び水平方向ともに、交互に配列されるので、開口部２４１、２４２、２４３の影響は、第２配列パターンと比べて分散される。したがって、第１配列パターンは、第２配列パターンよりも高い色解像度を達成する。
【００６９】
第２配列パターンにおいて、第１画素２１０及び第２画素２２０は、水平方向に整列する。したがって、第２配列パターンは、第１配列パターンよりも簡便な開口工程（開口部２４１，２４２，２４３の形成工程）を通じて作成される。
【００７０】
尚、「第２配列パターン」において、垂直方向に隣接した第１画素２１０及び第２画素２２０が画素組として規定される。
【００７１】
（第３配列パターン）
図６は、画素２００の第３配列パターンの概略図である。図１、図４及び図６を用いて、画素２００の第３配列パターンが説明される。
【００７２】
第１配列パターンと同様に、第３配列パターンにしたがう第１画素２１０及び第２画素２２０は、水平方向に交互に整列される。一方、第１配列パターンと異なり、表示面１２１上には、垂直方向に整列した第１画素２１０からなるラインと、垂直方向に整列した第２画素２２０からなるラインとが形成される。
【００７３】
第１配列パターンにおいて、第１画素２１０及び第２画素２２０は、垂直方向及び水平方向ともに、交互に配列されるので、開口部２４１、２４２、２４３の影響は、第３配列パターンと比べて分散される。したがって、第１配列パターンは、第３配列パターンよりも高い色解像度を達成する。
【００７４】
第３配列パターンにおいて、第１画素２１０及び第２画素２２０は、垂直方向に整列する。したがって、第３配列パターンは、第１配列パターンよりも簡便な開口工程（開口部２４１，２４２，２４３の形成工程）を通じて作成される。
【００７５】
尚、「第３配列パターン」において、水平方向に隣接した第１画素２１０及び第２画素２２０が画素組として規定される。
【００７６】
（信号処理）
図７は、表示装置１００の概略的なブロック図である。図４及び図７を用いて、映像信号に対する処理が説明される。
【００７７】
信号処理部１１０は、映像を表示するための映像信号が入力される入力部１１１を備える。映像信号は、赤、緑及び青の色相を用いて、画素２００の発光色及び輝度をそれぞれ規定する。図７において、赤の色相での発光輝度を規定する映像信号の成分は、「Ｒ」の符号を用いて示されている。緑の色相での発光輝度を規定する映像信号の成分は、「Ｇ」の符号を用いて示されている。青の色相での発光輝度を規定する映像信号の成分は、「Ｂ」の符号を用いて示されている。
【００７８】
一般的な表示装置と同様に、開口部２４１，２４２，２４３を考慮することなく、信号処理部１１０が駆動信号を出力するならば、表示面１２１に表示される映像は、映像信号によって規定される映像と大きく異なることがある。本実施形態において、信号処理部１１０は、開口部２４１，２４２，２４３の存在下で、映像信号によって規定される映像を、表示面１２１上に適切に表示するための信号処理を実行する。
【００７９】
信号処理部１１０は、映像信号に基づき、輝度に関する情報として輝度信号「ｙ」を出力する輝度信号変換部１１２と、映像信号に基づき、輝度信号「ｙ」と青色成分との差を表す信号「ｕ」並びに輝度信号「ｙ」と赤色成分との差を表す信号「ｖ」を出力する色信号変換部１１３と、を更に備える。入力部１１１は、輝度信号変換部１１２と色信号変換部１１３とに、映像信号を出力する。本実施形態において、信号処理部１１０は、ＹＵＶ方式にしたがって、輝度信号及び色信号を生成する。代替的に、信号処理部は、他の方式に従って、映像信号を、輝度成分と色成分とに分離してもよい。例えば、信号処理部は、Ｌａｂ方式やＨｓｖ方式にしたがって、映像信号を、輝度成分と色成分とに分離することができる。
【００８０】
信号処理部１１０は、処理対象の画素２００の位置を見極めるための位置情報を取得する位置情報取得部１１４を更に備える。映像信号は、垂直同期信号及び水平同期信号を含む。入力部１１１は、これらの同期信号を位置情報取得部１１４へ出力する。尚、図７において、映像信号が含む同期信号は、「Ｓ」の符号を用いて表されている。
【００８１】
信号処理部１１０は、第１画素２１０に対応する色信号「ｕ」，「ｖ」と、第２画素２２０に対応する色信号「ｕ」，「ｖ」と、を平均化する平均化部１１５を更に備える。位置情報取得部１１４は、処理対象の画素２００の位置に関する位置情報を平均化部１１５へ出力する。平均化部１１５は、位置情報に基づき、平均化処理の対象となる画素２００の領域を定める。その後、平均化部１１５は、決定された領域内の第１画素２１０及び第２画素２２０に対応する色信号「ｕ」，「ｖ」に対する平均化処理を実行する。平均化部１１５による平均化処理は後述される。
【００８２】
信号処理部１１０は、ＲＧＢ変換部１１６を更に備える。輝度信号変換部１１２は、映像信号に基づいて生成した輝度信号「ｙ」をＲＧＢ変換部１１６に出力する。平均化部１１５は、第１画素２１０及び第２画素２２０の間で、色信号「ｕ」を平均化処理し、色信号「ｕａ」を生成する。また、平均化部１１５は、第１画素２１０及び第２画素２２０の間で、色信号「ｖ」を平均化処理し、色信号「ｖａ」を生成する。色信号「ｕａ」、「ｖａ」は、ＲＧＢ変換部１１６に出力される。本実施形態において、色信号「ｕａ」、「ｖａ」は、平均化色信号として例示される。
【００８３】
ＲＧＢ変換部１１６は、輝度信号「ｙ」及び色信号「ｕａ」、「ｕｖ」に基づき、赤の色相での発光輝度を規定する信号「Ｒ１」、緑の色相での発光輝度を規定する信号「Ｇ１」及び青の色相での発光輝度を規定する信号「Ｂ１」を生成する。ＲＧＢ変換部１１６によるこれらの信号「Ｒ１」、「Ｇ１」、「Ｂ１」は、輝度信号変換部１１２及び色信号変換部１１３によるＹＵＶ方式に従う分離処理の逆変換処理によって生成されてもよい。尚、信号処理部が、Ｌａｂ方式にしたがって、映像信号を輝度成分と色成分とに分離するならば、ＲＧＢ変換部は、当該分離処理の逆変換処理を実行し、信号「Ｒ１」、「Ｇ１」、「Ｂ１」を生成してもよい。信号処理部が、Ｈｓｖ方式にしたがって、輝度成分と色成分との分離処理を行うならば、ＲＧＢ変換部は、当該分離処理の逆変換処理を実行し、信号「Ｒ１」、「Ｇ１」、「Ｂ１」を生成してもよい。
【００８４】
信号処理部１１０は、第１画素２１０を駆動するための駆動信号を生成する第１変換信号生成部１１７と、第２画素２２０を駆動するための駆動信号を生成する第２変換信号生成部１１８と、ＲＧＢ変換部１１６が生成並びに出力した信号「Ｒ１」、「Ｇ１」、「Ｂ１」を第１変換信号生成部１１７及び第２変換信号生成部１１８に分配する信号分配部１１９と、を更に備える。
【００８５】
上述の如く、第１画素２１０は、Ｒ閉口サブ画素２５１、Ｇ開口サブ画素２６２及びＢ閉口サブ画素２５３を備える。第１変換信号生成部１１７は、ＲＧＢ変換部１１６からの出力信号「Ｒ１」、「Ｇ１」、「Ｂ１」に基づき、Ｒ閉口サブ画素２５１を駆動するための駆動信号「ＲＣＤ」、Ｇ開口サブ画素２６２を駆動するための駆動信号「ＧＯＤ」及びＢ閉口サブ画素２５３を駆動するための駆動信号「ＢＣＤ」を生成する。液晶パネル１２０は、これらの駆動信号「ＲＣＤ」、「ＧＯＤ」、「ＢＣＤ」に基づき、Ｒ閉口サブ画素２５１、Ｇ開口サブ画素２６２及びＢ閉口サブ画素２５３をそれぞれ駆動する。
【００８６】
上述の如く、第２画素２２０は、Ｒ開口サブ画素２６１、Ｇ閉口サブ画素２５２及びＢ開口サブ画素２６３を備える。第２変換信号生成部１１８は、ＲＧＢ変換部１１６からの出力信号「Ｒ１」、「Ｇ１」、「Ｂ１」に基づき、Ｒ開口サブ画素２６１を駆動するための駆動信号「ＲＯＤ」、Ｇ閉口サブ画素２５２を駆動するための駆動信号「ＧＣＤ」及びＢ開口サブ画素２６３を駆動するための駆動信号「ＢＯＤ」を生成する。液晶パネル１２０は、これらの駆動信号「ＲＯＤ」、「ＧＣＤ」、「ＢＯＤ」に基づき、Ｒ開口サブ画素２６１、Ｇ閉口サブ画素２５２及びＢ開口サブ画素２６３をそれぞれ駆動する。
【００８７】
本実施形態において、ＲＧＢ変換部１１６及び第１変換信号生成部１１７による一連の信号処理の結果、駆動信号「ＲＣＤ」、「ＧＯＤ」、「ＢＣＤ」が生成され、Ｒ閉口サブ画素２５１、Ｇ開口サブ画素２６２及びＢ閉口サブ画素２５３の輝度が決定される。また、ＲＧＢ変換部１１６及び第２変換信号生成部１１８による一連の信号処理の結果、駆動信号「ＲＯＤ」、「ＧＣＤ」、「ＢＯＤ」が生成され、Ｒ開口サブ画素２６１、Ｇ閉口サブ画素２５２及びＢ開口サブ画素２６３の輝度が決定される。したがって、ＲＧＢ変換部１１６、第１変換信号生成部１１７及び第２変換信号生成部１１８は、輝度決定部として例示される。
【００８８】
第１変換信号生成部１１７及び第２変換信号生成部１１８は、テーブル方式やマトリクス方式にしたがって駆動信号を生成してもよい。第１変換信号生成部１１７及び第２変換信号生成部１１８は、ＲＧＢ変換部１１６からの出力信号に規定される値に基づき、駆動信号を出力する行列関数式を記憶してもよい。代替的に、第１変換信号生成部１１７及び第２変換信号生成部１１８は、ＲＧＢ変換部１１６からの出力信号に規定される値を参照し、駆動信号を出力するためのデータテーブルを記憶してもよい。駆動信号の生成手法は、映像信号から駆動信号へ変換する既知の変換技術並びに第１画素２１０及び第２画素２２０の設計パラメータ（例えば、開口部２４１，２４２，２４３の大きさやカラーフィルタ部（赤色フィルタ部２３１、緑色フィルタ部２３２、青色フィルタ部２３３）の透過率）に基づいて、適切に決定される。したがって、本実施形態の原理は、駆動信号の生成手法に何ら限定されるものではない。
【００８９】
（平均化処理）
図８Ａ乃至図８Ｃは、平均化部１１５による平均化処理の概念図である。図５乃至図８Ｃを用いて、平均化処理が説明される。尚、図８Ａ乃至図８Ｃに示される画素２００は、第１配列パターンに従って、配列されている。
【００９０】
図７に示される信号処理部１１０は、映像信号の輝度成分（即ち、輝度信号「ｙ」）に関しては、画素２００それぞれに対して処理を実行するのに対して、映像信号の色成分（即ち、色信号「ｕ」、「ｖ」）に関しては、複数の画素２００を１つの画素として取り扱い、映像信号を処理する。図８Ａ乃至図８Ｃには、平均化処理において１つの画素として取り扱われる複数の画素２００を含む画素領域ＰＲが点線で描かれている。
【００９１】
平均化部１１５は、少なくとも１つの第１画素２１０と少なくとも１つの第２画素２２０とが含まれるように、画素領域ＰＲを設定する。図７に関連して説明された如く、平均化部１１５は、映像信号が画素領域ＰＲ内の第１画素２１０及び第２画素２２０に割り当てた発光色を色信号変換部１１３が生成した色信号「ｕ」、「ｖ」に基づき、平均化する。
【００９２】
図８Ａにおいて、平均化部１１５は、垂直方向に整列した第１画素２１０及び第２画素２２０を含むように画素領域ＰＲを設定している。図８Ａに示される画素領域ＰＲの設定手法は、図５に関連して説明された第２配列パターンで配置された画素２００に対しても適用可能である。
【００９３】
図８Ｂにおいて、平均化部１１５は、水平方向に整列した第１画素２１０及び第２画素２２０を含むように画素領域ＰＲを設定している。図８Ｂに示される画素領域ＰＲの設定手法は、図６に関連して説明された第３配列パターンで配置された画素２００に対しても適用可能である。
【００９４】
図８Ａに示される平均化処理は、垂直方向に行われる。図８Ｂに示される平均化処理は、水平方向に行われる。したがって、これらの平均化処理の結果、垂直方向と水平方向との間の色解像度のアンバランスが目立つこともある。
【００９５】
図８Ｃにおいて、平均化部１１５は、水平方向及び垂直方向に整列した２つの第１画素２１０及び２つの第２画素２２０を含む画素領域ＰＲを設定している。図８Ｃに示される平均化処理は、垂直方向及び水平方向に均等に実行されるので、垂直方向と水平方向との間での色解像度のアンバランスは目立ちにくくなる。図８Ｃに示される画素領域ＰＲの設定手法は、第１配列パターン乃至第３配列パターンで配置された画素２００に対して好適に適用可能である。
【００９６】
平均化部１１５は、画素領域ＰＲの設定のための基準となる基準画素の情報を予め格納してもよい。図８Ａに示される画素領域ＰＲ内の第１画素２１０が基準画素として取り扱われるならば、平均化部１１５は、位置情報取得部１１４からの位置情報に基づき、基準画素（第１画素２１０）の下方に存する第２画素２２０を、基準画素（第１画素２１０）とともに平均化処理される画素２００として見極めることができる。図８Ｂに示される画素領域ＰＲ内の第１画素２１０が基準画素として取り扱われるならば、平均化部１１５は、位置情報取得部１１４からの位置情報に基づき、基準画素（第１画素２１０）に隣接する第２画素２２０を、基準画素（第１画素２１０）とともに平均化処理される画素２００として見極めることができる。図８Ｃに示される画素領域ＰＲ内の上側の第１画素２１０が基準画素として取り扱われるならば、平均化部１１５は、位置情報取得部１１４からの位置情報に基づき、基準画素（上側の第１画素２１０）に隣接する第２画素２２０、基準画素（上側の第１画素２１０）の下方の第２画素２２０及びこれらの第２画素２２０に隣接する第１画素２１０を、基準画素（上側の第１画素２１０）とともに平均化処理される画素２００として見極めることができる。
【００９７】
図９は、平均化部１１５が１つの画素領域ＰＲに対して実行する平均化処理のフローチャートである。図７乃至図９を用いて、平均化処理が更に説明される。
【００９８】
（ステップＳ１１０）
ステップＳ１１０において、任意の画素２００に対する色信号「ｕ」、「ｖ」が色信号変換部１１３から平均化部１１５に入力される。また、当該画素２００に対する位置情報が位置情報取得部１１４から平均化部１１５に入力される。その後、ステップＳ１２０が実行される。
【００９９】
（ステップＳ１２０）
ステップＳ１２０において、ステップＳ１１０において入力された位置情報と平均化部１１５が予め記憶している基準画素の位置に係る情報とが比較される。ステップＳ１１０において入力された位置情報が、基準画素の位置を表しているならば、ステップＳ１３０が実行される。他の場合には、ステップＳ１１０が実行される。
【０１００】
（ステップＳ１３０）
ステップＳ１３０において、基準画素を基準に画素領域ＰＲが設定される。その後、ステップＳ１４０が実行される。
【０１０１】
（ステップＳ１４０）
ステップＳ１４０において、色信号「ｕ」、「ｖ」が色信号変換部１１３から平均化部１１５に入力される。その後、ステップＳ１５０が実行される。
【０１０２】
（ステップＳ１５０）
ステップＳ１５０において、平均化部１１５は、画素領域ＰＲ中の画素２００全てに対する色情報が取得されたか否かを判定する。画素領域ＰＲ中の画素２００全てに対する色情報が取得されているならば、ステップＳ１６０が実行される。
【０１０３】
（ステップＳ１６０）
ステップＳ１６０において、平均化処理が実行される。ステップＳ１６０に関連する演算処理は、後述される。ステップＳ１６０に示される演算が完了すると、ステップＳ１７０が実行される。
【０１０４】
（ステップＳ１７０）
ステップＳ１７０において、平均化部１１５が、ステップＳ１６０の演算によって算出した平均化色信号「ｕａ」、「ｖａ」がＲＧＢ変換部１１６に出力される。
【０１０５】
図１０は、図９に関連して説明された信号処理工程のステップＳ１４０乃至ステップＳ１７０における処理の概念図である。図７乃至図１０を用いて、ステップＳ１４０乃至ステップＳ１７０において実行される信号処理が更に説明される。
【０１０６】
図１０には、図８Ｃに関連して説明された画素領域ＰＲが概略的に示されている。尚、以下に説明される処理の原理は、図８Ａ及び図８Ｂに関連して説明された画素領域ＰＲを用いた信号処理に対しても、同様に適用可能である。
【０１０７】
ステップＳ１４０とステップＳ１５０との間の処理ルーチンにおいて、画素領域ＰＲに含まれる４つの画素２００に対して、色信号「ｕ」、「ｖ」に規定される値が割り当てられる。図１０において、上側の第１画素２１０に対しては、色信号によって規定された値「ｕ１」、「ｖ１」が割り当てられる。上側の第２画素２２０に対しては、色信号によって規定された値「ｕ２」、「ｖ２」が割り当てられる。下側の第２画素２２０に対しては、色信号によって規定された値「ｕ３」、「ｖ３」が割り当てられる。下側の第１画素２１０に対しては、色信号によって規定された値「ｕ４」、「ｖ４」が割り当てられる。
【０１０８】
以下の数式は、ステップＳ１６０において用いられる演算式を例示する。尚、平均化処理のために他の適切な演算手法が用いられてもよい。
【０１０９】
本実施形態において、画素領域ＰＲに含まれる第１画素２１０と第２画素２２０とは同数である。代替的に、画素領域ＰＲは、第２画素２２０の数と異なる数の第１画素２１０を含んでもよい。この場合には、画素領域ＰＲ中の第１画素２１０と第２画素２２０との間の画素数の相違を考慮した演算手法（例えば、重み係数）が用いられる。
【０１１０】
【数１】
2013140209.tif 000003
【０１１１】
【数２】
2013140209.tif 000004
【０１１２】
図１０に示される画素領域ＰＲは、４つの画素２００を含むので、上述の演算式のパラメータ「Ｎ」の値は、「４」である。図８Ａ及び図８Ｂに関連して説明された画素領域ＰＲが用いられるならば、画素領域ＰＲは、２つの画素２００を含むので、パラメータ「Ｎ」の値は、「２」になる。
【０１１３】
ステップＳ１６０において、画素領域ＰＲ中の画素２００に対して割り当てられた値及び上述の演算式を用いて、平均化処理が実行される。この結果、画素領域ＰＲ中の全ての画素２００に対して、以下の数式から算出される値「ｕａ」、「ｖａ」が割り当てられる。
【０１１４】
【数３】
2013140209.tif 000005
【０１１５】
【数４】
2013140209.tif 000006
【０１１６】
上述の如く、画素領域ＰＲ中の全ての画素２００に対して等しい値を有する平均化色信号「ｕａ」、「ｖａ」は、ＲＧＢ変換部１１６に出力される。
【０１１７】
図１１は、ＲＧＢ変換部１１６が実行する処理の概念図である。図７、図１０及び図１１を用いて、ＲＧＢ変換部１１６の信号処理が説明される。尚、図１１に示される画素領域ＰＲは、図１０に関連して説明された画素領域ＰＲに対応する。
【０１１８】
図７に示される如く、ＲＧＢ変換部１１６には、輝度信号「ｙ」と平均化された色信号「ｕａ」、「ｖａ」が入力される。図１０に関連して説明された如く、ＲＧＢ変換部１１６には、画素領域ＰＲ中の４つの画素２００に対して、等しい値を規定する色信号「ｕａ」、「ｖａ」が入力される。一方、輝度信号「ｙ」は、画素領域ＰＲ中の全ての画素２００に対して、必ずしも等しい値を割り当てない。図１１において、上側の第１画素２１０に対しては、輝度信号「ｙ」によって規定された値「ｙ１」が割り当てられる。上側の第２画素２２０に対しては、輝度信号「ｙ」によって規定された値「ｙ２」が割り当てられる。下側の第２画素２２０に対しては、輝度信号「ｙ」によって規定された値「ｙ３」が割り当てられる。下側の第１画素２１０に対しては、輝度信号「ｙ」によって規定された値「ｙ４」が割り当てられる。
【０１１９】
図１１に示される如く、ＲＧＢ変換部１１６は、輝度信号「ｙ」と平均化された色信号「ｕａ」、「ｖａ」とに基づき、映像信号を再度作り出す。画素領域ＰＲ中の画素２００に対して割り当てられた色信号の値「ｕａ」、「ｖａ」、画素領域ＰＲ内において共通する一方で、輝度信号「ｙ」によって割り当てられる値は、必ずしも共通するものではない。したがって、画素領域ＰＲ中の画素２００に対して出力される映像信号「Ｒ１」、「Ｇ１」、「Ｂ１」は、輝度信号「ｙ」の値に応じて異なることもある。しかしながら、画素領域ＰＲ内の画素２００に対する色成分は、平均化されているので、Ｒ開口サブ画素２６１、Ｇ開口サブ画素２６２及びＢ開口サブ画素２６３が与える色解像度に対する影響は緩和される。
【０１２０】
（画素領域に関する他の設定手法）
図１２は、画素領域ＰＲに対する他の設定手法を表す概念図である。図７及び図１２を用いて、画素領域ＰＲに対する他の設定手法が説明される。
【０１２１】
平均化部１１５は、表示面１２１内の所定範囲の領域内で、色信号変換部１１３からの色信号「ｕ」、「ｖ」に関する画素２００間の相関を見出してもよい。平均化部１１５は、色信号「ｕ」、「ｖ」に関する画素２００間の相関に基づき、画素領域ＰＲを設定してもよい。
【０１２２】
図１２において、黒色で塗りつぶされた画素２００に対して、色信号「ｕ」、「ｖ」は、互いに近似した値を割り当てている。平均化部１１５は、これらの画素２００を含むように画素領域ＰＲを設定し、上述の平均化処理を行ってもよい。この結果、平均化処理に起因する色解像度の劣化が抑制される。
【０１２３】
本実施形態の原理は、画素領域ＰＲに関する特定の設定手法に限定されるものではない。画素領域ＰＲは、他の適切な手法にしたがって設定されてもよい。
【０１２４】
＜第２実施形態＞
（表示装置）
図１３は、第２実施形態に係る表示装置１００Ａの概略的なブロック図である。図１３において、第１実施形態に関連して説明された表示装置１００と同様の要素に対して、同一の符号が付されている。これら同様の要素に対して、第１実施形態の説明が援用される。
【０１２５】
表示装置１００Ａは、第１実施形態に関連して説明された表示装置１００と同様に、バックライト装置１３０と、液晶パネル１２０と、を備える。表示装置１００Ａは、映像信号を処理する信号処理部１１０Ａを更に備える。
【０１２６】
信号処理部１１０Ａは、第１実施形態に関連して説明された信号処理部１１０と同様に、入力部１１１、輝度信号変換部１１２、色信号変換部１１３、位置情報取得部１１４、平均化部１１５、ＲＧＢ変換部１１６及び信号分配部１１９を備える。信号処理部１１０Ａは、表示面１２１中の画素２００の発光モードを選択するための発光モード選択部１５０と、発光モード選択部１５０からの信号に応じて、ＲＧＢ変換部１１６によって作り出された映像信号（「Ｒ１」、「Ｇ１」、「Ｂ１」）に対する処理モードを変更する変換信号生成部１６０と、を更に備える。
【０１２７】
発光モード選択部１５０は、例えば、使用者の操作に応じて、第１モード信号又は第２モード信号（以下、これらの信号は、「モード信号」と総称される）を変換信号生成部１６０に出力する。
【０１２８】
変換信号生成部１６０は、ＲＧＢ変換部１１６によって作り出された映像信号に応じて、第１画素２１０を駆動するための駆動信号（「ＲＣＤ」、「ＧＯＤ」、「ＢＣＤ」）を生成する第１変換信号生成部１１７Ａと、第２画素２２０を駆動するための駆動信号（「ＲＯＤ」、「ＧＣＤ」、「ＢＯＤ」）を生成する第２変換信号生成部１１８Ａと、を含む。第１変換信号生成部１１７Ａ及び第２変換信号生成部１１８Ａは、モード信号に応じて、駆動信号の生成アルゴリズムを変更する。この結果、第１モード信号の出力下（第１発光モード）と第２モード出力下（第２発光モード）との間で、画素２００の発光動作が異なることとなる。本実施形態において、変換信号生成部１６０は、ＲＧＢ変換部１１６と協働して、画素２００の輝度を、発光モード選択部１５０からのモード信号に応じて決定する。したがって、変換信号生成部１６０並びにＲＧＢ変換部１１６は、輝度決定部として例示される。
【０１２９】
（発光モード）
図１４Ａは、第１発光モードで動作する第１画素２１０及び第２画素２２０の概略図である。図１４Ｂは、第２発光モードで動作する第１画素２１０及び第２画素２２０の概略図である。図１３乃至図１４Ｂを用いて、画素２００の発光モードが説明される。
【０１３０】
第１発光モードに設定された発光モード選択部１５０は、第１モード信号を変換信号生成部１６０に出力し、Ｒ閉口サブ画素２５１、Ｇ閉口サブ画素２５２、Ｂ閉口サブ画素２５３、Ｒ開口サブ画素２６１、Ｇ開口サブ画素２６２及びＢ開口サブ画素２６３の発光を許容する。したがって、第１発光モード下においては、表示装置１００Ａは、第１実施形態に関連して説明された表示装置１００と同じ表示動作を行うこととなる。
【０１３１】
第２発光モードに設定された発光モード選択部１５０は、第２モード信号を変換信号生成部１６０に出力し、Ｒ開口サブ画素２６１、Ｇ開口サブ画素２６２及びＢ開口サブ画素２６３を発光させることなく、Ｒ閉口サブ画素２５１、Ｇ閉口サブ画素２５２及びＢ閉口サブ画素２５３を発光させる。本実施形態において、発光モード選択部１５０は、出射選択部として例示される。
【０１３２】
第１変換信号生成部１１７Ａ及び第２変換信号生成部１１８Ａは、第１発光モード下において、第１実施形態に関連して説明された第１変換信号生成部１１７及び第２変換信号生成部１１８と同様のアルゴリズムを用いて、駆動信号を生成並びに出力する。第２発光モード下において、第１変換信号生成部１１７Ａ及び第２変換信号生成部１１８Ａは、第１発光モードにおいて用いられたアルゴリズムとは異なるアルゴリズムを用いて、駆動信号を生成する。例えば、第１変換信号生成部１１７Ａ及び第２変換信号生成部１１８Ａがマトリクス方式で駆動信号を生成するならば、マトリクス中の変換パラメータは、第１発光モードと第２発光モードとの間で異なることとなる。第１変換信号生成部１１７Ａ及び第２変換信号生成部１１８Ａがテーブル方式で駆動信号を生成するならば、第１変換信号生成部１１７Ａ及び第２変換信号生成部１１８Ａは、第１発光モードと第２発光モードとの間で異なる変換テーブルを利用し、駆動信号を生成する。
【０１３３】
第２発光モードにおいて、駆動信号「ＲＯＤ」、「ＧＯＤ」、「ＢＯＤ」は、Ｒ開口サブ画素２６１、Ｇ開口サブ画素２６２及びＢ開口サブ画素２６３の輝度が「０」となるように設定される。駆動信号「ＲＣＤ」、「ＧＣＤ」、「ＢＣＤ」は、Ｒ開口サブ画素２６１、Ｇ開口サブ画素２６２及びＢ開口サブ画素２６３が発光しないことを考慮して設定されてもよい。
【０１３４】
第１発光モード下において、Ｒ開口サブ画素２６１、Ｇ開口サブ画素２６２及びＢ開口サブ画素２６３は、映像信号に応じて発光するので、表示面１２１上の映像は、第２発光モード下で表示される映像よりも明るくなる。第２発光モード下において、Ｒ開口サブ画素２６１、Ｇ開口サブ画素２６２及びＢ開口サブ画素２６３は、発光しないので、表示面１２１上の映像は、映像信号が規定する色相で光を発光するＲ閉口サブ画素２５１、Ｇ閉口サブ画素２５２及びＢ閉口サブ画素２５３のみによって描かれることとなる。したがって、第２発光モード下において、映像は、第１発光モード下で表示される映像よりも、高い色再現性を以て、表示されることとなる。
【０１３５】
＜第３実施形態＞
図１５は、第３実施形態に係る表示装置１００Ｂの概略的なブロック図である。図１５において、第１実施形態に関連して説明された表示装置１００と同様の要素に対して、同一の符号が付されている。これら同様の要素に対して、第１実施形態の説明が援用される。
【０１３６】
表示装置１００Ｂは、映像信号を処理する信号処理部１１０Ｂと、信号処理部１１０Ｂから出力された駆動信号によって駆動される液晶パネル１２０Ｂと、を備える。信号処理部１１０Ｂは、第１実施形態に関連して説明された信号処理部１１０と同様に、入力部１１１、輝度信号変換部１１２、色信号変換部１１３、位置情報取得部１１４、平均化部１１５、ＲＧＢ変換部１１６及び信号分配部１１９を備える。液晶パネル１２０Ｂは、映像信号に応じた映像が表示される表示面１２１Ｂを備える。表示面１２１Ｂは、マトリクス状に配列された第１画素２１０Ｂ及び第２画素２２０Ｂと、を含む。
【０１３７】
第１画素２１０Ｂは、第１実施形態に関連して説明された第１画素２１０とは異なり、Ｒ閉口サブ画素２５１と、Ｂ開口サブ画素２６３と、Ｇ閉口サブ画素２５２と、を備える。信号処理部１１０Ｂは、ＲＧＢ変換部１１６から出力される映像信号（「Ｒ１」、「Ｇ１」、「Ｂ１」）に応じて、第１画素２１０Ｂに対応する駆動信号を出力する第１変換信号生成部１１７Ｂを更に備える。第１変換信号生成部１１７Ｂは、Ｒ閉口サブ画素２５１を駆動するための駆動信号「ＲＣＤ」、Ｂ開口サブ画素２６３を駆動するための駆動信号「ＢＯＤ」及びＧ閉口サブ画素２５２を駆動するための駆動信号「ＧＣＤ」を液晶パネル１２０Ｂに出力する。
【０１３８】
第２画素２２０Ｂは、第１実施形態に関連して説明された第２画素２２０とは異なり、Ｒ開口サブ画素２６１と、Ｂ閉口サブ画素２５３と、Ｇ開口サブ画素２６２と、を備える。信号処理部１１０Ｂは、ＲＧＢ変換部１１６から出力される映像信号（「Ｒ１」、「Ｇ１」、「Ｂ１」）に応じて、第２画素２２０Ｂに対応する駆動信号を出力する第２変換信号生成部１１８Ｂを更に備える。第２変換信号生成部１１８Ｂは、Ｒ開口サブ画素２６１を駆動するための駆動信号「ＲＯＤ」、Ｂ閉口サブ画素２５３を駆動するための駆動信号「ＢＣＤ」及びＧ開口サブ画素２６２を駆動するための駆動信号「ＧＯＤ」を液晶パネル１２０Ｂに出力する。
【０１３９】
図１６Ａは、第１画素２１０Ｂの概略図である。図１６Ｂは、第２画素２２０Ｂの概略図である。図１５乃至図１６Ｂを用いて、表示装置１００Ｂが説明される。
【０１４０】
表示装置１００Ｂは、表示面１２１Ｂに照明光を照射するバックライト装置１３０Ｂを更に備える。図１６Ａ及び図１６Ｂに示される如く、第２画素２２０Ｂに対して、開口部２４１，２４２が形成されているのに対し、第１画素２１０Ｂには、開口部２４３のみが形成されている。第１画素２１０Ｂと第２画素２２０Ｂとの輝度差の低減のために、バックライト装置１３０Ｂは、青色の波長成分を多く含む照射光を照射してもよい。代替的に、開口部２４３を他の開口部２４１，２４２よりも大きく形成してもよい。
【０１４１】
図１７は、第１画素２１０Ｂ及び第２画素２２０Ｂの配列パターンの概略図である。図１７を用いて、第１画素２１０Ｂ及び第２画素２２０Ｂの配列パターンが説明される。
【０１４２】
図１７に示される如く、第１画素２１０Ｂ及び第２画素２２０Ｂは、水平方向及び垂直方向に交互に配列され、千鳥状のパターンを描く。即ち、図１７に示される第１画素２１０Ｂ及び第２画素２２０Ｂは、第１実施形態に関連して説明された第１配列パターンにしたがう。代替的に、第１画素２１０Ｂ及び第２画素２２０Ｂは、第１実施形態に関連して説明された第２配列パターン又は第３配列パターンにしたがって配置されてもよい。
【０１４３】
本実施形態において、第１画素２１０Ｂは、Ｒ閉口サブ画素２５１と、Ｂ開口サブ画素２６３と、Ｇ閉口サブ画素２５２と、を備える。代替的に、第１画素は、Ｒ開口サブ画素２６１と、Ｂ閉口サブ画素２５３と、Ｇ閉口サブ画素２５２と、を備えてもよい。この場合には、第２画素は、Ｒ閉口サブ画素２５１と、Ｂ開口サブ画素２６３と、Ｇ開口サブ画素２６２と、を備える。本実施形態の原理は、第１画素及び第２画素が含むサブ画素の組み合わせに限定されない。
【０１４４】
上述の一連の実施形態において、第１画素の中央に配置されたサブ画素に開口部が形成され、他のサブ画素には開口部は形成されていない。一方、第２画素の端に配設されたサブ画素に開口部が形成され、中央のサブ画素には開口部は形成されていない。このような開口パターン及び画素の配列パターンの下、開口サブ画素の影響が好適に分散される。しかしながら、本実施形態の原理は、画素中の開口パターンに特に限定されるものではない。
【０１４５】
上述の一連の実施形態において、画素中のサブ画素は、水平方向に整列している。しかしながら、本実施形態の原理は、画素中のサブ画素の配置パターンに特に限定されるものではない。画素領域中の開口部が適切に分散されるように、画素中のサブ画素の配置パターンに応じて、画素中の開口パターンが決定されてもよい。
【０１４６】
＜第４実施形態＞
（表示装置）
図１８は、第４実施形態に係る表示装置１００Ｃの概略的なブロック図である。図１８において、第１実施形態に関連して説明された表示装置１００と同様の要素に対して、同一の符号が付されている。これら同様の要素に対して、第１実施形態の説明が援用される。
【０１４７】
表示装置１００Ｃは、第１実施形態に関連して説明された表示装置１００と同様に、バックライト装置１３０を備える。表示装置１００Ｃは、映像信号を処理する信号処理部１１０Ｃと、信号処理部１１０Ｃから出力された駆動信号によって駆動される液晶パネル１２０Ｃと、を更に備える。
【０１４８】
信号処理部１１０Ｃは、第１実施形態に関連して説明された信号処理部１１０と同様に、入力部１１１、輝度信号変換部１１２、色信号変換部１１３、位置情報取得部１１４、ＲＧＢ変換部１１６及び第１変換信号生成部１１７を備える。液晶パネル１２０Ｃは、映像信号に応じた映像が表示される表示面１２１Ｃを備える。
【０１４９】
表示面１２１Ｃは、第３画素３１０を含む。尚、第３画素３１０は、第１実施形態に関連して説明された第１画素２１０と同様のサブ画素の組み合わせ及び配列を有する。表示面１２１Ｃは、第３画素３１０とともにマトリクス状に配列される第４画素３２０及び第５画素３３０を更に備える。本実施形態において、第３画素３１０、第４画素３２０及び第５画素３３０の組は、画素組として例示される。
【０１５０】
第４画素３２０は、Ｒ開口サブ画素２６１と、Ｇ閉口サブ画素２５２と、Ｂ閉口サブ画素２５３と、を備える。第５画素３３０は、Ｒ閉口サブ画素２５１と、Ｇ閉口サブ画素２５２と、Ｂ開口サブ画素２６３と、を備える。
【０１５１】
信号処理部１１０Ｃは、第３画素３１０に対応する駆動信号を出力する第１変換信号生成部１１７に加えて、ＲＧＢ変換部１１６から出力される映像信号（「Ｒ１」、「Ｇ１」、「Ｂ１」）に応じて、第４画素３２０に対応する駆動信号を出力する第２変換信号生成部１１８Ｃと、第５画素３３０に対応する駆動信号を出力する第３変換信号生成部１７０と、を更に備える。信号処理部１１０Ｃは、第１変換信号生成部１１７、第２変換信号生成部１１８Ｃ及び第３変換信号生成部１７０に、ＲＧＢ変換部１１６から出力された映像信号（「Ｒ１」、「Ｇ１」、「Ｂ１」）を分配する信号分配部１１９Ｃを更に備える。
【０１５２】
第１実施形態に関連して説明された表示装置１００と異なり、表示装置１００Ｃは、３種類の画素（第３画素３１０、第４画素３２０及び第５画素３３０）を用いて、映像を表示する。したがって、信号処理部１１０Ｃは、３種類の画素に適応した平均化処理を行う平均化部１１５Ｃを更に備える。平均化部１１５Ｃによる平均化処理は、後述される。
【０１５３】
（画素）
図１９は、第３画素３１０、第４画素３２０及び第５画素３３０の概略図である。図１８及び図１９を用いて、第３画素３１０、第４画素３２０及び第５画素３３０が説明される。
【０１５４】
表示装置１００Ｃは、バックライト装置１３０から出射された白色の照明光を赤の色相に変化させる赤色フィルタ部２３１と、照明光を緑の色相に変化させる緑色フィルタ部２３２と、照明光を青の色相に変化させる青色フィルタ部２３３と、を備える。
【０１５５】
第３画素３１０は、開口部２４２が形成された緑色フィルタ部２３２を有するＧ開口サブ画素２６２と、赤色フィルタ部２３１を有するＲ閉口サブ画素２５１と、青色フィルタ部２３３を有するＢ閉口サブ画素２５３と、を備える。本実施形態において、緑色フィルタ部２３２は、第１カラーフィルタ部として例示される。緑の色相は、第１色相として例示される。緑色フィルタ部２３２に形成された開口部２４２は、第１開口部として例示される。Ｇ開口サブ画素２６２の緑色フィルタ部２３２は、第１開口フィルタ部として例示される。
【０１５６】
第４画素３２０は、開口部２４１が形成された赤色フィルタ部２３１を有するＲ開口サブ画素２６１と、緑色フィルタ部２３２を有するＧ閉口サブ画素２５２と、青色フィルタ部２３３を有するＢ閉口サブ画素２５３と、を備える。本実施形態において、赤色フィルタ部２３１は、第２カラーフィルタ部として例示される。赤の色相は、第２色相として例示される。赤色フィルタ部２３１に形成された開口部２４１は、第２開口部として例示される。Ｒ開口サブ画素２６１の赤色フィルタ部２３１は、第２開口フィルタ部として例示される。
【０１５７】
第５画素３３０は、開口部２４３が形成された青色フィルタ部２３３を有するＢ開口サブ画素２６３と、緑色フィルタ部２３２を有するＧ閉口サブ画素２５２と、赤色フィルタ部２３１を有するＲ閉口サブ画素２５１と、を備える。本実施形態において、青色フィルタ部２３３は、第３カラーフィルタ部として例示される。青の色相は、第３色相として例示される。青色フィルタ部２３３に形成された開口部２４３は、第３開口部として例示される。Ｂ開口サブ画素２６３の青色フィルタ部２３３は、第３開口フィルタ部として例示される。
【０１５８】
第１実施形態乃至第３実施形態と同様に、互いに色相の異なるこれらのカラーフィルタ部（赤色フィルタ部２３１、緑色フィルタ部２３２、青色フィルタ部２３３）を用いて、３つのサブ画素がそれぞれ形成される。第３画素３１０、第４画素３２０及び第５画素３３０それぞれは、３つのサブ画素を含む。第３画素３１０、第４画素３２０及び第５画素３３０は、マトリクス状に配列され、表示面１２１Ｃを形成する。
【０１５９】
本実施形態において、Ｒ閉口サブ画素２５１は、第１閉口サブ画素として例示される。Ｇ閉口サブ画素２５２は、第２閉口サブ画素として例示される。Ｂ閉口サブ画素２５３は、第３閉口サブ画素として例示される。
【０１６０】
入力部１１１に入力される映像信号が第３画素３１０、第４画素３２０及び第５画素３３０に対して等しい輝度を規定するならば、第３画素３１０、第４画素３２０及び第５画素３３０が等しい輝度で発光するように、開口部２４１，２４２，２４３の大きさが定められる。したがって、開口部２４１，２４２，２４３は、互いに異なる大きさであってもよい。
【０１６１】
後述される如く、本実施形態において、表示面１２１Ｃを形成する複数の画素組は、第３画素３１０、第４画素３２０及び第５画素３３０からなる。上述の如く、第３画素３１０、第４画素３２０及び第５画素３３０からなる画素組内において、カラーフィルタ部（赤色フィルタ部２３１、緑色フィルタ部２３２、青色フィルタ部２３３）には、色相（赤、緑、青）に対応して１つずつ開口部（２４１、２４２又は２４３）が形成される。
【０１６２】
（画素の配列パターン）
図２０は、第３画素３１０、第４画素３２０及び第５画素３３０の配列パターンの概略図である。図１８及び図２０を用いて、第３画素３１０、第４画素３２０及び第５画素３３０の配列パターンが説明される。
【０１６３】
第３画素３１０、第４画素３２０及び第５画素３３０は、好ましくは、表示面１２１Ｃに亘って、略一定の密度で配列される。本実施形態において、第３画素３１０、第４画素３２０及び第５画素３３０からなる画素列が水平方向及び垂直方向に繰り返し整列している。また、第３画素３１０、第４画素３２０及び第５画素３３０からなる水平方向及び／又は垂直方向の画素列の位相が、隣接する画素列の位相と異なることが好ましい。この結果、開口部２４１，２４２，２４３が一様に分散され、色解像度の低下が抑制される。
【０１６４】
本実施形態において、水平方向に隣接した第３画素３１０、第４画素３２０及び第５画素３３０が画素組として規定されてもよい。代替的に、垂直方向に隣接した第３画素３１０、第４画素３２０及び第５画素３３０が画素組として規定されてもよい。尚、画素組は、水平方向及び垂直方向のうち一方の方向において隣接した第３画素３１０、第４画素３２０及び第５画素３３０を用いて規定されてもよい。
【０１６５】
（平均化処理）
図１８を用いて、平均化部１１５Ｃにより平均化処理が説明される。
【０１６６】
第１実施形態と同様に、映像信号は、赤、緑及び青の色相を用いて、第３画素３１０、第４画素３２０及び第５画素３３０の発光色及び輝度をそれぞれ規定する。色信号変換部１１３は、映像信号に基づき、輝度信号「ｙ」と青色成分との差を表す信号「ｕ」並びに輝度信号「ｙ」と赤色成分との差を表す信号「ｖ」を平均化部１１５Ｃに出力する。位置情報取得部１１４は、位置情報を、平均化部１１５Ｃへ出力する。
【０１６７】
図２１Ａ乃至図２１Ｃは、平均化部１１５Ｃによる平均化処理の概念図である。図９、図１８、図２１Ａ乃至図２１Ｃを用いて、平均化処理が説明される。
【０１６８】
図２１Ａにおいて、平均化部１１５Ｃは、垂直方向に整列した第３画素３１０、第４画素３２０及び第５画素３３０を含むように画素領域ＰＲを設定している。図２１Ｂにおいて、平均化部１１５Ｃは、水平方向に整列した第３画素３１０、第４画素３２０及び第５画素３３０を含むように画素領域ＰＲを設定している。図２１Ｃにおいて、平均化部１１５Ｃは、水平方向及び垂直方向に整列した３つの第３画素３１０及び３つの第４画素３２０及び３つの第５画素３３０を含む画素領域ＰＲを設定している。図２１Ｃに示される平均化処理は、垂直方向及び水平方向に均等に実行されるので、垂直方向と水平方向との間での色解像度のアンバランスは目立ちにくくなる。
【０１６９】
平均化部１１５Ｃは、図９を参照して説明された手順に従って、画素領域ＰＲ内の第３画素３１０、第４画素３２０及び第５画素３３０に割り当てられた発光色を平均化し、平均化色信号を出力してもよい。ＲＧＢ変換部１１６、第１変換信号生成部１１７、第２変換信号生成部１１８Ｃ及び第３変換信号生成部１７０は、輝度信号変換部１１２から出力された輝度信号と平均化部１１５Ｃから出力された平均化色信号とに基づいて、第３画素３１０、第４画素３２０及び第５画素３３０の発光輝度を決定する駆動信号を出力する。ＲＧＢ変換部１１６、第１変換信号生成部１１７、第２変換信号生成部１１８Ｃ及び第３変換信号生成部１７０を用いた駆動信号の生成原理は、第１実施形態に関連して説明された手法にしたがってもよい。本実施形態において、ＲＧＢ変換部１１６、第１変換信号生成部１１７、第２変換信号生成部１１８Ｃ及び第３変換信号生成部１７０は、輝度決定部として例示される。
【０１７０】
＜第５実施形態＞
（表示装置）
図２２は、第５実施形態に係る表示装置１００Ｄの概略的なブロック図である。図２２において、第１実施形態に関連して説明された表示装置１００と同様の要素に対して、同一の符号が付されている。これら同様の要素に対して、第１実施形態の説明が援用される。
【０１７１】
表示装置１００Ｄは、第１実施形態に関連して説明された表示装置１００と同様に、信号処理部１１０及びバックライト装置１３０を備える。表示装置１００Ｄは、バックライト装置１３０によって照明される表示面１２１Ｄを備える液晶パネル１２０Ｄを更に備える。
【０１７２】
表示面１２１Ｄは、マトリクス状に配列された複数の画素２００Ｄを備える。画素２００Ｄは、信号処理部１１０によって処理された映像信号にしたがって駆動され、バックライト装置１３０からの照明光を変調する。この結果、映像信号に規定された映像は、表示面１２１Ｄ上に表示される。第１実施形態に関連して説明された表示装置１００と同様に、表示装置１００Ｄは、２種類の画素２００Ｄを用いて、映像を表示する。
【０１７３】
（画素）
図２３は、画素２００Ｄとして用いられる第１画素２１０Ｄ及び第２画素２２０Ｄの概略図である。図３Ａ、図３Ｂ、図２２及び図２３を用いて、画素２００Ｄが説明される。
【０１７４】
表示装置１００Ｄは、第１実施形態に関連して説明された表示装置１００と同様に、赤色フィルタ部２３１と、緑色フィルタ部２３２と、青色フィルタ部２３３と、を備える。表示装置１００Ｄは、赤色フィルタ部２３１を通じて出射される赤色光よりも彩度の低い桃色光を出射する桃色フィルタ部２３１Ｄと、緑色フィルタ部２３２を通じて出射される緑色光よりも彩度の低い薄緑色光を出射する薄緑色フィルタ部２３２Ｄと、青色フィルタ部２３３を通じて出射される青色光よりも彩度の低い水色光を出射する水色フィルタ部２３３Ｄと、を更に備える。
【０１７５】
桃色フィルタ部２３１Ｄを透過した光は、図３Ｂに関連して説明されたＲ開口サブ画素２６１の発光色に相当する発光色を有する。薄緑色フィルタ部２３２Ｄを透過した光は、図３Ａに関連して説明されたＧ開口サブ画素２６２の発光色に相当する発光色を有する。水色フィルタ部２３３Ｄを透過した光は、図３Ｂに関連して説明されたＢ開口サブ画素２６３の発光色に相当する発光色を有する。
【０１７６】
第１画素２１０Ｄは、薄緑色フィルタ部２３２Ｄを有する薄緑色サブ画素２６２Ｄと、Ｒ閉口サブ画素２５１と、Ｂ閉口サブ画素２５３と、を備える。第１実施形態に関連して説明された第１画素２１０とは異なり、第１画素２１０Ｄの薄緑色フィルタ部２３２Ｄには、開口部は形成されていない。
【０１７７】
第２画素２２０Ｄは、桃色フィルタ部２３１Ｄを有する桃色サブ画素２６１Ｄと、水色フィルタ部２３３Ｄを有する水色サブ画素２６３Ｄと、Ｇ閉口サブ画素２５２と、を備える。第１実施形態に関連して説明された第２画素２２０とは異なり、第２画素２２０Ｄの桃色フィルタ部２３１Ｄ及び水色フィルタ部２３３Ｄには、開口部は形成されていない。
【０１７８】
図２４は、第１画素２１０Ｄ及び第２画素２２０Ｄの配列パターンの概略図である。図２４を用いて、第１画素２１０Ｄ及び第２画素２２０Ｄの配列パターンが説明される。
【０１７９】
図２４に示される如く、第１画素２１０Ｄ及び第２画素２２０Ｄは、水平方向及び垂直方向に交互に配列され、千鳥状のパターンを描く。即ち、図２４に示される第１画素２１０Ｄ及び第２画素２２０Ｄは、第１実施形態に関連して説明された第１配列パターンにしたがう。代替的に、第１画素２１０Ｄ及び第２画素２２０Ｄは、第１実施形態に関連して説明された第２配列パターン又は第３配列パターンにしたがって配置されてもよい。
【０１８０】
本実施形態の原理に従う表示装置は、互いに異なる色相で発光する３つのサブ画素（薄緑色サブ画素２６２Ｄ、Ｒ閉口サブ画素２５１及びＢ閉口サブ画素２５３の組、又は、桃色サブ画素２６１Ｄ、水色サブ画素２６３Ｄ及びＧ閉口サブ画素２５２の組）をそれぞれ含む複数の画素（第１画素２１０Ｄ及び第２画素２２０Ｄ）がマトリクス状に配設された表示面に映像を表示する。表示装置は、表示面に向けて照明光を照射するバックライト装置と、照明光の色相を第１色相（赤色、緑色又は青色）に変化させる第１カラーフィルタ部（赤色フィルタ部２３１、緑色フィルタ部２３２又は青色フィルタ部２３３）と、前記照明光の前記色相を、前記第１色相とは異なる第２色相（桃色、薄緑色又は水色）に変化させる第２カラーフィルタ部（赤色フィルタ部２３１、緑色フィルタ部２３２又は青色フィルタ部２３３）と、前記照明光を、前記第１カラーフィルタ部を通じて出射される第１光（赤色光、緑色光又は青色光）よりも低い彩度の第１低彩度光（桃色光、薄緑色光又は水色光）に変化させる第１低彩度カラーフィルタ部（桃色フィルタ部２３１Ｄ、薄緑色フィルタ部２３２Ｄ又は水色フィルタ部２３３Ｄ）と、前記照明光を、前記第２カラーフィルタ部を通じて出射される第２光よりも低い彩度の第２低彩度光（桃色光、薄緑色光又は水色光）に変化させる第２低彩度カラーフィルタ部（桃色フィルタ部２３１Ｄ、薄緑色フィルタ部２３２Ｄ又は水色フィルタ部２３３Ｄ）と、を備え、前記複数の画素は、前記第１カラーフィルタ部と前記第２低彩度カラーフィルタ部とを含む第１画素と、前記第２カラーフィルタ部と前記第１低彩度カラーフィルタ部とを含む第２画素と、を含むことを特徴とする。
【０１８１】
＜第６実施形態＞
（表示装置）
図２５は、第６実施形態に係る表示装置１００Ｅの概略的なブロック図である。図２５において、第１実施形態に関連して説明された表示装置１００と同様の要素に対して、同一の符号が付されている。これら同様の要素に対して、第１実施形態の説明が援用される。
【０１８２】
表示装置１００Ｅは、第１実施形態に関連して説明された表示装置１００と同様に、信号処理部１１０及びバックライト装置１３０を備える。表示装置１００Ｅは、バックライト装置１３０によって照明される表示面１２１Ｅを備える液晶パネル１２０Ｅを更に備える。
【０１８３】
表示面１２１Ｅは、マトリクス状に配列された複数の画素２００Ｅを備える。画素２００Ｅは、信号処理部１１０によって処理された映像信号にしたがって駆動され、バックライト装置１３０からの照明光を変調する。この結果、映像信号に規定された映像は、表示面１２１Ｅ上に表示される。第１実施形態に関連して説明された表示装置１００と同様に、表示装置１００Ｅは、２種類の画素２００Ｅを用いて、映像を表示する。
【０１８４】
（画素）
図２６は、画素２００Ｅとして用いられる第１画素２１０Ｅ及び第２画素２２０Ｅの概略図である。図２５及び図２６を用いて、画素２００Ｅが説明される。尚、本実施形態において、第１画素２１０Ｅ及び第２画素２２０Ｅの組は、画素組として例示される。
【０１８５】
第１画素２１０Ｅは、Ｒ閉口サブ画素２５１、Ｇ閉口サブ画素２５２及びＢ閉口サブ画素２５３を備える。第２画素２２０Ｅは、Ｒ開口サブ画素２６１、Ｇ開口サブ画素２６２及びＢ開口サブ画素２６３を備える。
【０１８６】
図２７は、第１画素２１０Ｅ及び第２画素２２０Ｅの配列パターンの概略図である。図２５及び図２７を用いて、第１画素２１０Ｅ及び第２画素２２０Ｅの配列パターンが説明される。
【０１８７】
図２７に示される如く、第１画素２１０Ｅ及び第２画素２２０Ｅは、水平方向及び垂直方向に交互に配列され、千鳥状のパターンを描く。即ち、図２７に示される第１画素２１０Ｅ及び第２画素２２０Ｅは、第１実施形態に関連して説明された第１配列パターンにしたがう。
【０１８８】
本実施形態において、第１画素２１０Ｅには開口部は形成されず、第２画素２２０Ｅにのみ、開口部２４１，２４２，２４３が形成されている。したがって、第１実施形態の表示装置１００の開口部２４１，２４２，２４３と比べて、本実施形態の表示装置１００Ｅの開口部２４１，２４２，２４３は、容易に形成される。上述の如く、第１画素２１０Ｅ及び第２画素２２０Ｅは、第１配列パターンに従って配列されるので、表示面１２１Ｅ中において、開口部２４１，２４２，２４３は分散される。したがって、解像度の低下が抑制される。
【０１８９】
図２８Ａ及び図２８Ｂは、第１画素２１０Ｅ及び第２画素２２０Ｅの他の配列パターンの概略図である。図２５、図２８Ａ及び図２８Ｂを用いて、第１画素２１０Ｅ及び第２画素２２０Ｅの他の配列パターンが説明される。
【０１９０】
図２８Ａに示される第１画素２１０Ｅ及び第２画素２２０Ｅは、第１実施形態に関連して説明された第２配列パターンにしたがって配列される。第１画素２１０Ｅ及び第２画素２２０Ｅは、垂直方向に交互に配列される一方で、第１画素２１０Ｅ及び第２画素２２０Ｅは、水平方向にそれぞれ連続的に整列する。
【０１９１】
図２８Ｂに示される第１画素２１０Ｅ及び第２画素２２０Ｅは、第１実施形態に関連して説明された第３配列パターンにしたがって配列される。第１画素２１０Ｅ及び第２画素２２０Ｅは、水平方向に交互に配列される一方で、第１画素２１０Ｅ及び第２画素２２０Ｅは、垂直方向にそれぞれ連続的に整列する。
【０１９２】
第１画素２１０Ｅ及び第２画素２２０Ｅが、第２配列パターン又は第３配列パターンにしたがって配列されるならば、水平方向又は垂直方向に並ぶ開口部２４１，２４２，２４３の列が形成される。したがって、図２７に関連して説明された第１配列パターンと比べて、開口部２４１，２４２，２４３は更に形成されやすくなる。
【産業上の利用可能性】
【０１９３】
本実施形態の原理は、液晶パネルを用いた表示装置に好適に適用される。
【符号の説明】
【０１９４】
１００乃至１００Ｅ・・・・・・・・・・・・・・表示装置
１１１・・・・・・・・・・・・・・・・・・・・入力部
１１５、１１５Ｃ・・・・・・・・・・・・・・・平均化部
１１６・・・・・・・・・・・・・・・・・・・・ＲＧＢ変換部
１１７乃至１１７Ｂ・・・・・・・・・・・・・・第１変換信号生成部
１１８乃至１１８Ｃ・・・・・・・・・・・・・・第２変換信号生成部
１２１、１２１Ｂ乃至１２１Ｅ・・・・・・・・・表示面
１３０、１３０Ｂ・・・・・・・・・・・・・・・バックライト装置
１５０・・・・・・・・・・・・・・・・・・・・発光モード選択部
１６０・・・・・・・・・・・・・・・・・・・・変換信号生成部
１７０・・・・・・・・・・・・・・・・・・・・第３変換信号生成部
２００、２００Ｄ、２００Ｅ・・・・・・・・・・画素
２１０、２１０Ｂ、２１０Ｄ、２１０Ｅ・・・・・第１画素
２２０、２２０Ｂ、２２０Ｄ、２２０Ｅ・・・・・第２画素
２３１・・・・・・・・・・・・・・・・・・・・赤色フィルタ部
２３２・・・・・・・・・・・・・・・・・・・・緑色フィルタ部
２３３・・・・・・・・・・・・・・・・・・・・青色フィルタ部
２４１・・・・・・・・・・・・・・・・・・・・開口部
２４２・・・・・・・・・・・・・・・・・・・・開口部
２４３・・・・・・・・・・・・・・・・・・・・開口部
２５１・・・・・・・・・・・・・・・・・・・・Ｒ閉口サブ画素
２５２・・・・・・・・・・・・・・・・・・・・Ｇ閉口サブ画素
２５３・・・・・・・・・・・・・・・・・・・・Ｂ閉口サブ画素
２６１・・・・・・・・・・・・・・・・・・・・Ｒ開口サブ画素
２６２・・・・・・・・・・・・・・・・・・・・Ｇ開口サブ画素
２６３・・・・・・・・・・・・・・・・・・・・Ｂ開口サブ画素
３１０・・・・・・・・・・・・・・・・・・・・第３画素
３２０・・・・・・・・・・・・・・・・・・・・第４画素
３３０・・・・・・・・・・・・・・・・・・・・第５画素
【図１】
2013140209.tif 000007
【図２】
2013140209.tif 000008
【図７】
2013140209.tif 000009
【図９】
2013140209.tif 000010
【図１０】
2013140209.tif 000011
【図１１】
2013140209.tif 000012
【図１３】
2013140209.tif 000013
【図１５】
2013140209.tif 000014
【図１８】
2013140209.tif 000015
【図２２】
2013140209.tif 000016
【図２５】
2013140209.tif 000017
【図３Ａ】
2013140209.tif 000018
【図３Ｂ】
2013140209.tif 000019
【図４】
2013140209.tif 000020
【図５】
2013140209.tif 000021
【図６】
2013140209.tif 000022
【図８Ａ】
2013140209.tif 000023
【図８Ｂ】
2013140209.tif 000024
【図８Ｃ】
2013140209.tif 000025
【図１２】
2013140209.tif 000026
【図１４Ａ】
2013140209.tif 000027
【図１４Ｂ】
2013140209.tif 000028
【図１６Ａ】
2013140209.tif 000029
【図１６Ｂ】
2013140209.tif 000030
【図１７】
2013140209.tif 000031
【図１９】
2013140209.tif 000032
【図２０】
2013140209.tif 000033
【図２１Ａ】
2013140209.tif 000034
【図２１Ｂ】
2013140209.tif 000035
【図２１Ｃ】
2013140209.tif 000036
【図２３】
2013140209.tif 000037
【図２４】
2013140209.tif 000038
【図２６】
2013140209.tif 000039
【図２７】
2013140209.tif 000040
【図２８Ａ】
2013140209.tif 000041
【図２８Ｂ】
2013140209.tif 000042